(57)【要約】      （修正有）【課題】構造と組立てが簡単であり、材料の削減、コスト低下を図る点灯器具の構造を提供する。【解決手段】放熱部材の両側辺にガイド溝及び凹溝がそれぞれ設けられ、基板の一方の側辺がガイド溝内に係合され、表面に発光ダイオードが電気的に接続される基板の他方の側辺に位置決め孔が設けられ、さらに、位置決め孔を介して凹溝内に締め付け部材を固定し、基板を放熱部材に固定する。【選択図】図２
0003162459.tif 000002
【実用新案登録請求の範囲】
【請求項１】
一方の側辺にガイド溝が設けられ、他方の側辺に凹溝が設けられた放熱部材と、
それぞれ、表面に少なくとも一つの発光ダイオードが電気的に接続され、一方の側辺が前記ガイド溝内に係合され、他方の側辺に前記凹溝に対応する少なくとも一つの位置決め孔が設けられた少なくとも一枚の基板と、
それぞれ、前記位置決め孔を介して前記凹溝内に固定され、前記基板を前記放熱部材に固定させる少なくとも一つの締め付け部材とを含む点灯器具の構造。
【請求項２】
前記放熱部材は、アルミニウムの放熱部材であることを特徴とする請求項１に記載の点灯器具の構造。
【請求項３】
前記締め付け部材の直径は、前記凹溝の幅より大きいことを特徴とする請求項１に記載の点灯器具の構造。
【請求項４】
前記締め付け部材は、ねじであることを特徴とする請求項１に記載の点灯器具の構造。
【請求項５】
さらに、カバーと２つの蓋とを含み、前記放熱部材と前記カバーとが互いに固定され、前記放熱部材と前記カバーとの間に前記基板を収納し、且つ、前記２つの蓋が前記放熱部材及び前記カバーの両側にそれぞれ固着されることを特徴とする請求項１に記載の点灯器具の構造。
【考案の詳細な説明】
【技術分野】
【０００１】
本考案は、点灯器具の構造に係り、特に、発光ダイオードに適用可能な点灯器具の構造に関るものである。
【背景技術】
【０００２】
現在、人々は、灯光照明器具により光の暗い空間、或いは光が遮断された位置を改善し、十分な光を提供することで、長期間に亘る光の不足による視力ぼけ及び近視などの問題を回避している。また、省エネ、ＣＯ2の排出抑制等の環境保護への要求のため、発光源として、電気消費量の大きいタングステン電球から省電力、環境保護、体積の小さい発光ダイオード(ＬＥＤ)が発明され、さらにその改良が進められている。
【０００３】
従来の照明器具は、回路板と、台座と、カバーとを含み、回路板に複数の発光ダイオードが設けられ、回路板が台座に固定され、台座とカバーとが対応して継ぎ合わせることが可能となり、回路板により発光素子を制御して光源を供給することができる。
しかしながら、予め台座にタッピング工程によりネジ穴を形成する必要があり、さらにねじにより１つずつ締め付けて回路板を台座に固定しなければならず、そのため作業が非常に面倒であり、且つ、ねじの締め付けにバラツキを生じて、回路板に力が不均一に作用して回路板の反りの問題が発生し易くなる。
【０００４】
本考案は以上の点に鑑みてなされたもので、簡単迅速に組立て可能な点灯器具の構造を提供するものである。
【考案の概要】
【考案が解決しようとする課題】
【０００５】
本考案の主な目的は、簡単迅速に組立て可能な点灯器具の構造を提供することにある。
【０００６】
本考案の次の目的は、ねじの締め付けによる基板の反りの問題を避けられる点灯器具の構造を提供することにある。
【０００７】
本考案のもう一つの目的は、材料の使用量の削減とコスト低下を図る点灯器具の構造を提供することにある。
【課題を解決するための手段】
【０００８】
前記した目的を達成するため、本考案に係る点灯器具の構造は、一方の側辺にガイド溝が設けられ、他方の側辺に凹溝が設けられた放熱部材と、それぞれ、表面に少なくとも一つの発光ダイオードが電気的に接続され、一方の側辺が前記ガイド溝内に係合され、他方の側辺に前記凹溝に対応する少なくとも一つの位置決め孔が設けられた少なくとも一枚の基板と、それぞれ、前記位置決め孔を介して前記凹溝内に固定され、前記基板を前記放熱部材に固定させる少なくとも一つの締め付け部材とを含む。
よって、前記放熱部材に前記基板を快速に組立て可能となり、構造簡単、快速生産可能、材料減少、コスト低下可能などの利点を有し、従来のねじの締め付けによる基板の反りの問題を避けら、ひいては、その使用便利性を向上できる。
【図面の簡単な説明】
【０００９】
【図１Ａ】本考案に係る点灯器具の構造を示す斜視図である。
【図１Ｂ】本考案に係る点灯器具の構造を示す斜視図である。
【図２】図１ＡのＡ−Ａ’線の断面図である。
【図３】本考案に係る点灯器具の構造を示す分解斜視図である。
【図４】本考案に係る点灯器具の構造の一部構造を示す組立拡大図である。
【図５】本考案に係る点灯器具の構造の一部構造を示す分解拡大図である。
【考案を実施するための形態】
【００１０】
本考案の特徴、特点及び技術内容をさらに深く了解を得るため、以下に添付図面を参照しながら本考案に係る点灯器具の構造について詳細に説明するが、本考案は以下の実施例に限定されるものではない。
【００１１】
図１Ａ及び１Ｂは、本考案に係る点灯器具の構造を示す斜視図であり、図２は、図１ＡのＡ−Ａ’線の断面図である。図３は、分解斜視図であり、図４は、一部構造を示す組立拡大図であり、図５は、一部構造を示す分解拡大図である。
本考案に係る灯器具は、放熱部材１００と、少なくとも一枚の基板２００と、少なくとも一つの締め付け部材３００とを含むものであり、本考案はこれにより、簡単迅速に組立て可能となり、さらに基板２００の反りの問題を回避することができる。
【００１２】
放熱部材１００は、アルミニウムの放熱部材であり、放熱部材１００の一方の側辺１０１にガイド溝１１０が設けられ、他方の側辺１０２に凹溝１２０（すなわち、ガイド溝１１０と凹溝１２０とが、放熱部材１００の対応の両側辺１０１、１０２に設けられ）が設けられている。
【００１３】
各基板２００の一方の側辺２０１が前記ガイド溝１１０内に係合され、各基板２００の表面に少なくとも一つの発光ダイオード(ＬＥＤ)２１０が電気的に接続されている。各基板２００の他方の側辺２０２には凹溝１２０に対応する少なくとも一つの位置決め孔２２０が設けられている。
【００１４】
各締め付け部材３００（例えば、ねじ）の直径は、放熱部材１００の凹溝１２０の幅より大きく、位置決め孔２２０を介して凹溝１２０内に締め付け部材３００を固定することで、前記基板２００を放熱部材１００に固定して、基板２００の使用時に生じる熱量を放熱部材１００により外部に伝達する。
【００１５】
また、本考案に係る点灯器具の構造は、さらに、カバー４１０と２つの蓋４２０とを含む。
放熱部材１００とカバー４１０とが互いに固定される。例えば、カバー４１０にフック４１１を設け、放熱部材１００に該フック４１１に対応する係止溝１０３を設ければ、フック４１１と係止溝１０３とを互いに係合することで、放熱部材１００とカバー４１０との間に基板２００を収納した状態でフック４１１と係止溝１０３とを互いに係止できる。さらに、２つの蓋４２０を放熱部材１００とカバー４１０の両側にそれぞれ固着する。
【００１６】
本実施例では、締め付け部材３００は、ねじであり、基板２００は、複数の発光ダイオード２１０が設けられた回路板である。
基板２００を固定しようする時には、まず、基板２００の一方の側辺２０１を一定方向Ａ（図５）に向けて放熱部材１００のガイド溝１１０内に押し込んで、基板２００の一方の側辺２０１を該ガイド溝１１０内に係合させる。
且つ、基板２００の他方の側辺２０２に放熱部材１００の凹溝１２０に対応する少なくとも一つの位置決め孔２２０が設けられるので、位置決め孔２２０を介して凹溝１２０内に締め付け部材３００により直接係止する。
本考案では基板２００を放熱部材１００に直接固定できるから、取付け構造が簡単であり、かつ、予めタッピング工程によりネジ穴を形成する必要がなく、締め付け部材３００を凹溝１２０内に直接に係止できる。したがって、簡単迅速に生産することが可能であり、さらに使用材料の削減が可能で、コストの低下も併せて実現可能となる等の利点を有する。
【００１７】
また、基板２００は、基板２００の一方の側辺２０１をガイド溝１１０内に係合させた後に、さらに、基板２００の他方の側辺２０２の位置決め孔２２０を介して放熱部材１００の凹溝１２０内に締め付け部材３００により直接係止する。長さが長い基板２００を放熱部材１００にすべてをねじで締め付けて固定した場合と比べて基板２００の反りの問題を防止でき、且つ、各締め付け部材３００間の間隔を減少できて、平坦性がより好ましくなる。
【００１８】
以上のように、本考案に係る点灯器具の構造は、放熱部材１００と、少なくとも一枚の基板２００と、少なくとも一つの締め付け部材３００とを含み、放熱部材１００の両側辺１０１、１０２にガイド溝１１０及び凹溝１２０がそれぞれ設けられ、各基板２００の一方の側辺２０１がガイド溝１１０内に係合され、各基板２００の他方の側辺２０２に凹溝１２０に対応する少なくとも一つの位置決め孔２２０が設けられ、位置決め孔２２０を介して凹溝１２０内に締め付け部材３００により直接に固定され、ひいて、基板２００を放熱部材１００に固定させることによって、構造簡単、快速生産可能、材料減少、コスト低下可能などの利点を有し、且つ、予めタッピング工程によりネジ穴を形成する必要はなく、従来のねじで締め付けときによる基板２００の反りの問題を避けられ、平坦性がより好ましくなり、使用便利性の効果をさらに向上させる。
【００１９】
以上の記載は単に本考案の好ましい具体的な実施例の説明に過ぎず、本考案の実用新案登録請求の範囲を限定するものではなく、いずれの当該分野における通常の知識を有する専門家が、本考案の分野の中で、適当に変更や修飾などを実施できるが、それらの実施が本考案の主張範囲内に含まれるべきことは言うまでもないことである。
【符号の説明】
【００２０】
１００・・・・・・放熱部材
１０１、１０２・・側辺
１０３・・・・・・係止溝
１１０・・・・・・ガイド溝
１２０・・・・・・凹溝
２００・・・・・・基板
２０１、２０２・・側辺
２１０・・・・・・発光ダイオード
２２０・・・・・・位置決め孔
３００・・・・・・締め付け部材
４１０・・・・・・カバー
４１１・・・・・・フック
４２０・・・・・・蓋
Ａ・・・・・・・・移動方向
【図１Ａ】
0003162459.tif 000003
【図１Ｂ】
0003162459.tif 000004
【図２】
0003162459.tif 000005
【図３】
0003162459.tif 000006
【図４】
0003162459.tif 000007
【図５】
0003162459.tif 000008